(57)【要約】      （修正有）【課題】膝折りで正座する場合に、簡単に組み立てることが可能で、かつ、使用者の体型の個人差に応じて高さ調整が可能な使い勝手が優れた膝折り座布団を提供する。【解決手段】側面部に第１の接着シート４０が配置された座布団と、第２の接着シート５０が、下面に配置され、また、側面に握り部分６０が設けられた尻あて枕３０とで構成された膝折り座布団であって、前記尻あて枕３０の第２の接着シート５０が、前記握り部分６０を用いて、第１の接着シート５０に貼り付けられて、前記尻あて枕３０が、前記座布団１０に固定されたことを特徴とする膝折り座布団とする。【選択図】図１
2012249688.tif 000002
【特許請求の範囲】
【請求項１】
側面部に第１の接着シートが配置された座布団と、第２の接着シートが、下面に配置され、また、側面に握り部分が設けられた尻あて枕とで構成された膝折り座布団であって、
前記尻あて枕の第２の接着シートが、前記握り部分を用いて、第１の接着シートに貼り付けられて、前記尻あて枕が、前記座布団に固定されたことを特徴とする膝折り座布団。
【請求項２】
側面部に第１の接着シートが配置された座布団と、第２の接着シートが、下面に配置され、また、側面に握り部分が設けられた尻あて枕と、高さ調整用のクッション板とで構成された膝折り座布団であって、
前記尻あて枕の第２の接着シートが、前記握り部分を用いて、第１の接着シートに貼り付けられ、前記尻あて枕が、前記座布団に固定され、前記高さ調整用のクッション板が、前記尻あて枕の上に保持されたことを特徴とする膝折り座布団。
【発明の詳細な説明】
【技術分野】
【０００１】
本発明は、膝を折って正座する場合の苦痛を和らげる効果のある膝折り座布団に関し、
座布団の側面に尻あて枕を固定した構造の膝折り座布団に関する。
【背景技術】
【０００２】
従来、膝を折って正座する場合の苦痛を和らげる膝折り座布団については、各種の構造が開示されている。例えば特許文献１では、図５に示すように、座布団主要部２と座布団補助部３とが一体となり、膝折り座布団１とした膝折り座布団が開示されている。ここで、図６は、座布団補助部３を立てた状態であり、図７は、座布団補助部３を使用者の臀部にあてがい、尻あて枕として使用する図である。
【先行技術文献】
【特許文献】
【０００３】
【特許文献１】実用新案登録第３０８４４９３号
【発明の概要】
【発明が解決しようとする課題】
【０００４】
従来の図５の膝折り座布団では、以下の欠点があった。
膝折り座布団１が、座布団主要部２の一辺２ａに座布団補助部３が接続された構造であり、膝折り座布団１を収納する場合に、容積を要する欠点があった。
また、膝折り座布団１を使用するに際して、まず座布団補助部３を立てかけて（図６参照）から、図７のように、使用者の臀部にあてがい、尻あて枕として使用する手間が煩雑であるという問題点かあった。さらに、図７で示すように、尻あて枕としての座布団補助部３の厚みは、固定されており、使用者の体型の個人差に応じた高さ調整は不可能であった。
【０００５】
本発明の課題は、膝折りで正座する場合に、簡単に組み立てることが可能で、かつ、使用者の体型の個人差に応じて高さ調整が可能な使い勝手が優れた膝折り座布団を提供することである。
【課題を解決するための手段】
【０００６】
本発明の膝折り座布団は、座布団の側面部に第１の接着シートを配置し、一方尻あて部は、その下面に、第２の接着シートを配置し、前記第１の接着シートと第２の接着シートとを接合して、膝折り座布団の構造とする。
【０００７】
本発明の請求項１に係る膝折り座布団は、側面部に第１の接着シートが配置された座布団と、第２の接着シートが、下面に配置され、また、側面に握り部分が設けられた尻あて枕とで構成された膝折り座布団であって、前記尻あて枕の第２の接着シートが、前記握り部分を用いて、第１の接着シートに貼り付けられて、前記尻あて枕が、前記座布団に固定されたことを特徴とする膝折り座布団である。
【０００８】
本発明の請求項２に係る膝折り座布団は、側面部に第１の接着シートが配置された座布団と、第２の接着シートが、下面に配置され、また、側面に握り部分が設けられた尻あて枕と、高さ調整用のクッション板とで構成された膝折り座布団であって、前記尻あて枕の第２の接着シートが、前記握り部分を用いて、第１の接着シートに貼り付けられ、前記尻あて枕が、前記座布団に固定され、前記高さ調整用のクッション板が、前記尻あて枕の上に保持されたことを特徴とする膝折り座布団である。
【発明の効果】
【０００９】
本発明の請求項１の膝折り座布団によれば、尻あて枕を、握り部分を用いて簡単に座布団の側面に組み立てることが可能な、使い勝手が優れた膝折り座布団を提供することができる。
【００１０】
本発明の請求項２の膝折り座布団によれば、高さ調整用のクッション板を尻あて枕と、使用者の臀部に挟み込むことによって、使用者の体型の個人差に応じて高さ調整が可能な使い勝手が優れた膝折り座布団を提供することができる。
【００１１】
本発明によれば、膝折りで正座する場合に、簡単に組み立てることが可能で、かつ、使用者の体型の個人差に応じて高さ調整が可能な使い勝手が優れた膝折り座布団を提供することができる。
【図面の簡単な説明】
【００１２】
【図１】本発明の実施例１の膝折り座布団の斜視図。
【図２】図１の本発明の実施例１の膝折り座布団の分解図。
【図３】本発明の実施例１の膝折り座布団の使用状態の斜視図。
【図４】本発明の実施例２の膝折り座布団の斜視図。
【図５】従来の膝折り座布団の斜視図。
【図６】図５の膝折り座布団にて、座布団補助部を立てた状態の斜視図。
【図７】図５の従来の膝折り座布団の使用状態の斜視図。
【実施例】
【００１３】
本発明の膝折り座布団の実施例について、以下説明する。
【００１４】
（実施例１）
図１は、本発明の実施例１の膝折り座布団の斜視図である。
図１の膝折り座布団１０は、側面部に第１の接着シート４０が配置された座布団２０と、第２の接着シート５０が、下面に配置され、また、側面に握り部分６０が設けられた尻あて枕３０とで構成されている。ここで、前記尻あて枕３０の第２の接着シート５０が、前記握り部分６０を用いて、第１の接着シート４０に貼り付けられて、前記尻あて枕３０が、前記座布団に固定されている。
【００１５】
図２は、図１の本発明の実施例１の膝折り座布団の分解図である。座布団１０と尻あて枕３０とは、簡単の分解できるので、収納に関しては、個別に収納し、使用時に組み立てることが可能であって、収納の効率が良い。図３は、図１の本発明の実施例１の膝折り座布団の使用状態の斜視図である。使用者が、正座する場合に、臀部を尻あて枕３０の上に置き、正座の苦痛を和らげることができる。なお、第２の接着シート５０は、第１の接着シート４０とその辺を一致させず、角度をつけて固定しても良い。使用用途として、正座する以外に、あぐらをかいた時の、腰のよりかけ、あるいは、横になったときの枕としても活用できる。
【００１６】
（実施例２）
図４は、本発明の実施例２の膝折り座布団の斜視図である。
図４の膝折り座布団１１は、側面部に第１の接着シート４１が配置された座布団１１と、第２の接着シートが５１、下面に配置され、また、側面に握り部分６０が設けられた尻あて枕３１と、高さ調整用のクッション板７０とで構成された膝折り座布団で構成されている。ここで、前記尻あて枕３１の第２の接着シート５１が、前記握り部分６０を用いて、第１の接着シート４１に貼り付けられ、前記尻あて枕３１が、前記座布団に固定され、前記高さ調整用のクッション板が７０、前記尻あて枕の上に保持されたことを特徴とする。
【００１７】
図４の膝折り座布団１１の使用方法は、先の図３と同様であって、前記高さ調整用のクッション板が７０を尻あて枕３１と使用者の臀部との間に挟み込み、高さ調整を行う。
ここで、高さ調整用のクッション板が７０は、厚みが複数の高さ調整用のクッション板を準備しておけば、使用者の体型の個人差に応じて高さ調整が可能となる。
なお、第２の接着シート５１は、第１の接着シート４１とその辺を一致させず、角度をつけて固定しても良い。使用用途として、正座する以外に、あぐらをかいた時の、腰のよりかけ、あるいは、横になったときの枕としても活用できる。
【符号の説明】
【００１８】
１，１０，１１    膝折り座布団
２，            座布団主要部
２０，２１      座布団
２ａ    座布団主要部の一辺
２ｂ、２ｃ    座布団主要部の端部
３  座布団補助部
３０，３１    尻あて枕
４０、４１    第１の接着シート
５０、５１    第２の接着シート
６０、６１    握り部分
７０    高さ調整用のクッション板
【図１】
2012249688.tif 000003
【図２】
2012249688.tif 000004
【図３】
2012249688.tif 000005
【図４】
2012249688.tif 000006
【図５】
2012249688.tif 000007
【図６】
2012249688.tif 000008
【図７】
2012249688.tif 000009